(57)【要約】【課題】  本発明は、従来と比して一段と電子番組ガイド情報の利便性を向上し得るテレビジョン受像機を実現しようとするものである。【解決手段】  本発明は、所定の日付変更時刻に基づく時刻表記でなるＥＰＧデータＥＤ１を取得すると共に、ユーザによって指定された任意の日付変更時刻をユーザ設定として不揮発性メモリ５に格納し、当該ユーザ設定の日付変更時刻に基づいてＥＰＧデータＥＤ１の時刻表記を変換してＥＰＧ画面２０を表示するようにしたことにより、ＥＰＧ画面２０の時刻表記を、ＥＰＧデータＥＤ１とは日付変更時刻の異なるテレビジョン放送の番組内や番組情報誌の時刻表記に変換することができ、かくして従来と比して一段と電子番組ガイド情報の利便性を向上することができる。【選択図】        図６
2005101875.tif 000002
【特許請求の範囲】
【請求項１】
所定の日付変更時刻に基づく時刻表記で放送開始時刻及び放送終了時刻が記述された電子番組ガイド情報を取得する取得手段と、
任意の日付変更時刻を設定して記憶する記憶手段と、
上記所定の日付変更時刻に基づく時刻表記で記述された放送開始時刻及び放送終了時刻を上記任意の日付変更時刻に基づく時刻表記に変換する変換手段と、
上記変換手段によって放送開始時刻及び放送終了時刻の時刻表記が変換された上記電子番組ガイド情報に基づくガイド画面を表示する表示手段と
を具えることを特徴とするテレビジョン受像機。
【請求項２】
上記記憶手段は、
チャンネル毎にそれぞれ上記任意の日付変更時刻を設定して記憶する
ことを特徴とする請求項１に記載のテレビジョン受像機。
【請求項３】
上記記憶手段は、
特定の曜日に対して上記任意の日付変更時刻を設定して記憶する
ことを特徴とする請求項１に記載のテレビジョン受像機。
【請求項４】
上記記憶手段は、
特定の日に対して上記任意の日付変更時刻を設定して記憶する
ことを特徴とする請求項１に記載のテレビジョン受像機。
【請求項５】
所定の日付変更時刻に基づく時刻表記で放送開始時刻及び放送終了時刻が記述された電子番組ガイド情報を取得する取得手段と、
任意の日付変更時刻を設定して記憶する記憶手段と、
上記所定の日付変更時刻に基づく時刻表記で記述された放送開始時刻及び放送終了時刻を上記任意の日付変更時刻に基づく時刻表記に変換する変換手段と、
上記変換手段によって放送開始時刻及び放送終了時刻の時刻表記が変換された上記電子番組ガイド情報に基づくガイド画面を表示する表示手段と
を具えることを特徴とする番組情報表示装置。
【請求項６】
所定の日付変更時刻に基づく時刻表記で放送開始時刻や放送終了時刻が記述された電子番組ガイド情報を取得する取得ステップと、
任意の日付変更時刻を設定して記憶する記憶ステップと、
上記所定の日付変更時刻に基づく時刻表記で記述された放送開始時刻及び放送終了時刻を上記任意の日付変更時刻に基づく時刻表記に変換する変換ステップと、
上記変換手段によって放送開始時刻及び放送終了時刻の時刻表記が変換された上記電子番組ガイド情報に基づくガイド画面を表示する表示ステップと
を具えることを特徴とする番組情報表示方法。
【発明の詳細な説明】
【技術分野】
【０００１】
本発明は、テレビジョン受像機に関し、特に電子番組ガイド情報を表示し得るようになされたテレビジョン受像機に適用して好適なものである。
【背景技術】
【０００２】
従来、テレビジョン放送において、放送される番組の番組名や放送時間、番組のジャンル等の番組情報を記述した電子番組ガイド情報（ＥＰＧ：Electronic Program Guide）が提供されている。この電子番組ガイド情報のデータ（以下、これをＥＰＧデータと呼ぶ）は、テレビジョン放送波のブランキング区間に多重化されて送信されたり、ディジタル衛星放送の搬送波に重畳されて周期的に送信されたり、あるいはインターネット上のサーバから供給される等、様々な方法を用いて提供されている。
【０００３】
そしてテレビジョン受像機においては、このＥＰＧデータをテレビジョン放送波を受信する等して取得し、これをモニタに表示することにより、放送予定の番組に関する各種情報をユーザに提供するようになされたものがある（例えば特許文献１参照）。
【特許文献１】特開２０００−２９５５８５公報
【発明の開示】
【発明が解決しようとする課題】
【０００４】
ところで実際上、ＥＰＧデータにおける放送日や放送開始時刻等の時刻表記と、テレビジョン放送の番組内や番組情報誌等における放送日や放送開始時刻等の時刻表記とが異なる場合がある。
【０００５】
すなわちＥＰＧデータにおいては、午前０時を日付の境目としており、午前０時以降（２４：００以降）を翌日として、…、「２３：００」、「０：００」、「１：００」、「２：００」、…と時刻が表記されるのに対して、テレビジョン放送の番組内や番組情報誌等においては、午前１時や午前２時を日付の境目としている場合があり、例えば午前２時を日付の境目とすると、午前２時以降（２６：００以降）を翌日として、…、「２３：００」、「２４：００」、「２５：００」、「２：００」、…と時刻が表記される。
【０００６】
この場合、同じ番組であっても、電子番組ガイド情報では、例えば放送日が「８月３日」、放送開始時刻が「１：３０」と表記されるのに対して、テレビジョン放送の番組内や番組情報誌等では、放送日が「８月２日」、放送開始時刻が「２５：３０」と表記されることになる。
【０００７】
このように番組の時刻表記が、電子番組ガイド情報と実際のテレビジョン放送の番組内や番組情報誌等とで異なると、ユーザは、自分で電子番組ガイド情報における時刻表記と実際のテレビジョン放送の番組内や番組情報誌等における時刻表記とを対応付けなければならず、さらにこの対応付けを間違えると所望の番組を見逃す恐れもあり、必ずしも利便性がよいとは言い難いという問題があった。
【０００８】
本発明は以上の点を考慮してなされたもので、従来と比して一段と電子番組ガイド情報の利便性を向上し得るテレビジョン受像機を提案しようとするものである。
【課題を解決するための手段】
【０００９】
かかる課題を解決するため本発明においては、テレビジョン受像機において、所定の日付変更時刻に基づく時刻表記で放送開始時刻及び放送終了時刻が記述された電子番組ガイド情報を取得する取得手段と、任意の日付変更時刻を設定して記憶する記憶手段と、所定の日付変更時刻に基づく時刻表記で記述された放送開始時刻及び放送終了時刻を任意の日付変更時刻に基づく時刻表記に変換する変換手段と、変換手段によって放送開始時刻及び放送終了時刻の時刻表記が変換された電子番組ガイド情報に基づくガイド画面を表示する表示手段とを設けるようにした。
【００１０】
これによりテレビジョン受像機において、電子番組ガイド情報の時刻表記を、任意の日付変更時刻に基づく時刻表記に変換してガイド画面に表示することができる。
【００１１】
また本発明においては、番組情報表示装置において、所定の日付変更時刻に基づく時刻表記で放送開始時刻及び放送終了時刻が記述された電子番組ガイド情報を取得する取得手段と、任意の日付変更時刻を設定して記憶する記憶手段と、所定の日付変更時刻に基づく時刻表記で記述された放送開始時刻及び放送終了時刻を任意の日付変更時刻に基づく時刻表記に変換する変換手段と、変換手段によって放送開始時刻及び放送終了時刻の時刻表記が変換された電子番組ガイド情報に基づくガイド画面を表示する表示手段とを設けるようにした。
【００１２】
これにより番組情報表示装置において、電子番組ガイド情報の時刻表記を、任意の日付変更時刻に基づく時刻表記に変換してガイド画面に表示することができる。
【００１３】
さらに本発明においては、番組情報表示方法において、所定の日付変更時刻に基づく時刻表記で放送開始時刻及び放送終了時刻が記述された電子番組ガイド情報を取得する取得ステップと、任意の日付変更時刻を設定して記憶する記憶ステップと、所定の日付変更時刻に基づく時刻表記で記述された放送開始時刻及び放送終了時刻を任意の日付変更時刻に基づく時刻表記に変換する変換ステップと、変換ステップにおいて放送開始時刻及び放送終了時刻の時刻表記が変換された電子番組ガイド情報に基づくガイド画面を表示する表示ステップとを設けるようにした。
【００１４】
これにより番組情報表示方法において、電子番組ガイド情報の時刻表記を、任意の日付変更時刻に基づく時刻表記に変換してガイド画面に表示することができる。
【発明の効果】
【００１５】
本発明によれば、所定の日付変更時刻に基づく時刻表記で放送開始時刻及び放送終了時刻が記述された電子番組ガイド情報を取得する取得手段と、任意の日付変更時刻を設定して記憶する記憶手段と、所定の日付変更時刻に基づく時刻表記で記述された放送開始時刻及び放送終了時刻を任意の日付変更時刻に基づく時刻表記に変換する変換手段と、変換手段によって放送開始時刻及び放送終了時刻の時刻表記が変換された電子番組ガイド情報に基づくガイド画面を表示する表示手段とを設けるようにしたことにより、電子番組ガイド情報の時刻表記を、任意の日付変更時刻に基づく時刻表記に変換してガイド画面に表示することができるので、ガイド画面に表示する時刻表記を、電子番組ガイド情報とは日付変更時刻の異なる他の情報の時刻表記に変換することができ、かくして従来と比して一段と電子番組ガイド情報の利便性を向上し得るテレビジョン受像機を実現できる。
【００１６】
また本発明によれば、所定の日付変更時刻に基づく時刻表記で放送開始時刻及び放送終了時刻が記述された電子番組ガイド情報を取得する取得手段と、任意の日付変更時刻を設定して記憶する記憶手段と、所定の日付変更時刻に基づく時刻表記で記述された放送開始時刻及び放送終了時刻を任意の日付変更時刻に基づく時刻表記に変換する変換手段と、変換手段によって放送開始時刻及び放送終了時刻の時刻表記が変換された電子番組ガイド情報に基づくガイド画面を表示する表示手段とを設けるようにしたことにより、電子番組ガイド情報の時刻表記を、任意の日付変更時刻に基づく時刻表記に変換してガイド画面に表示することができるので、ガイド画面に表示する時刻表記を、電子番組ガイド情報とは日付変更時刻の異なる他の情報の時刻表記に変換することができ、かくして従来と比して一段と電子番組ガイド情報の利便性を向上し得る番組情報表示装置を実現できる。
【００１７】
さらに本発明によれば、所定の日付変更時刻に基づく時刻表記で放送開始時刻及び放送終了時刻が記述された電子番組ガイド情報を取得する取得ステップと、任意の日付変更時刻を設定して記憶する記憶ステップと、所定の日付変更時刻に基づく時刻表記で記述された放送開始時刻及び放送終了時刻を任意の日付変更時刻に基づく時刻表記に変換する変換ステップと、変換ステップにおいて放送開始時刻及び放送終了時刻の時刻表記が変換された電子番組ガイド情報に基づくガイド画面を表示する表示ステップとを設けるようにしたことにより、電子番組ガイド情報の時刻表記を、任意の日付変更時刻に基づく時刻表記に変換してガイド画面に表示することができるので、ガイド画面に表示する時刻表記を、電子番組ガイド情報とは日付変更時刻の異なる他の情報の時刻表記に変換することができ、かくして従来と比して一段と電子番組ガイド情報の利便性を向上し得る番組情報表示装置を実現できる。
【発明を実施するための最良の形態】
【００１８】
以下図面について、本発明の一実施の形態を詳述する。
【００１９】
（１）本実施の形態によるテレビジョン受像機の構成
図１において、１は全体として本実施の形態によるテレビジョン受像機を示し、ＣＰＵ（Central Processing Unit）２に対して、ＲＯＭ（Read Only Memory）３、ＲＡＭ（Random  Access Memory）４、不揮発性メモリ５、ＩＣカードリーダ６、衛星チューナ７、地上波チューナ８、デスクランブラ９、デマルチプレクサ１０、ＡＶデコーダ１１及び赤外線受信部１２がバス１３を介して接続されることにより構成されており、さらに衛星チューナ７及び地上波チューナ８にはそれぞれ衛星アンテナ１４及び地上波アンテナ１５が接続され、ＡＶデコーダ１１にはモニタ１６及びスピーカ１７が接続されている。
【００２０】
そしてＣＰＵ２は、ＲＯＭ３に予め格納された基本プログラムや後述する日付変更時刻設定プログラム及び時刻表示変換プログラム等の各種プログラムをＲＡＭ４上で展開し、リモートコントローラ１８から赤外線信号として送信される各種命令を赤外線受信部１２を介して取り込んでテレビジョン受像機１全体を統括的に制御することにより各種処理を実行する。
【００２１】
すなわちＣＰＵ２は、衛星アンテナ１４を介して受信した衛星波Ｓ１を衛星放送受信信号Ｓ２として衛星チューナ７に入力すると共に、地上波アンテナ１５を介して受信した地上波Ｓ３を地上波放送受信信号Ｓ４として地上波チューナ８に入力する。
【００２２】
ＣＰＵ２は、番組視聴時にリモートコントローラ１８を介して所望のチャンネルが選択されると、そのチャンネルが衛星放送のチャンネルであれば、衛星チューナ７において、衛星放送受信信号Ｓ２の中から選択されたチャンネルのテレビジョン信号を抽出する。そして衛星チューナ７は、ＣＰＵ２の制御のもとに、このテレビジョン信号に対して所定の受信処理を施すことによりトランスポートストリームＴＳ１を生成し、これをデスクランブラ９に送出する。
【００２３】
これに対して、選択されたチャンネルが地上波放送のチャンネルであれば、ＣＰＵ２は、地上波チューナ８において、地上波放送受信信号Ｓ４の中から選択されたチャンネルのテレビジョン信号を抽出する。そして地上波チューナ８は、ＣＰＵ２の制御のもとに、このテレビジョン信号に対して所定の受信処理を施すことによりトランスポートストリームＴＳ２を生成し、これをデスクランブラ９に送出する。
【００２４】
ここでトランスポートストリームＴＳ１及びＴＳ２は暗号化されているため、この暗号を解読するための解読キーが必要となる。そこでデスクランブラ９は、ＣＰＵ２の制御のもとに、ＩＣカードリーダ６に挿着されたＩＣカード（図示せず）に予め記録されている解読キーを用いて、供給されるトランスポートストリームＴＳ１またはＴＳ２を解読し、得られた解読済トランスポートストリームＴＳ３をデマルチプレクサ１０に送出する。
【００２５】
デマルチプレクサ１０は、ＣＰＵ２の制御のもとに、供給される解読済トランスポートストリームＴＳ３から映像データＶＤ１及び音声データＡＤ１を分離し、これらをＡＶデコーダ１１に送出する。
【００２６】
ＡＶデコーダ１１は、ＣＰＵ２の制御のもとに、供給される映像データＶＤ１及び音声データＡＤ１に対してそれぞれ所定のデコード処理を施し、得られた映像信号ＶＳ１及び音声信号ＡＳ１をそれぞれモニタ１６及びスピーカ１７を介して番組映像及び番組音声として出力する。
【００２７】
かくしてＣＰＵ２は、番組視聴時において、ユーザに対して所望のチャンネルの番組を試聴させ得るようになされている。
【００２８】
またＣＰＵ２は、デマルチプレクサ１０において、解読済トランスポートストリームＴＳ３から映像データＶＤ１及び音声データＡＤ１を分離する際に、これらと共に電子番組ガイド情報のデータであるＥＰＧデータＥＤ１を分離し、これをＲＡＭ４に格納する。
【００２９】
このＥＰＧデータＥＤ１は、ＳＩ（Service Information）と呼ばれるセクション形式のテーブル類に記述されており、このテーブル類の中には、チャンネル情報を表すＳＤＴ（Service Description Table）と、番組情報を表すＥＩＴ（Event Information Table）とがある。
【００３０】
このＳＤＴには、チャンネル番号、チャンネル名及びチャンネル内容等が記述されており、またＥＩＴには、番組名、チャンネル番号、放送開始時刻、放送終了時刻、ジャンル及びあらすじ等が記述されている。
【００３１】
すなわちＥＰＧデータＥＤ１には、現在時刻から数十時間先までに放送される各チャンネルの番組に関する情報が含まれている。そしてこのＥＰＧデータＥＤ１は、放送局から所定のタイミングで頻繁に配信されており、これによりＲＡＭ４には常に最新のＥＰＧデータＥＤ１が格納される。
【００３２】
実際上、ＣＰＵ２は、リモートコントローラ１８を介して電子番組ガイド情報の表示が要求されると、ＲＡＭ４から最新のＥＰＧデータＥＤ１を読み出し、これをＡＶデコーダ１１に入力する。
【００３３】
ＡＶデコーダ１１は、ＣＰＵ２の制御のもとに、このＥＰＧデータＥＤ１に基づいてＥＰＧ表示信号ＥＳ１を生成し、これをモニタ１６を介してＥＰＧ画面２０（図２）として表示する。
【００３４】
図２に示すように、このＥＰＧ画面２０は、一覧情報表示部２１及び詳細情報表示部２２から構成される。ここで一覧情報表示部２１は、ＥＰＧデータＥＤ１のＳＤＴ及びＥＩＴに基づいて横軸を時刻、縦軸をチャンネルとして現在時刻から数時間先までに放送予定の番組を複数チャンネル分表示するためのものであり、タイムスケール２１Ａ、チャンネル表示部２１Ｂ及び複数の番組表示枠２１Ｃから構成される。
【００３５】
タイムスケール２１Ａには、現在時刻から数時間先までの時刻が左から順に例えば「２３：００」、「０：００」、「１：００」、「２：００」と表示されている。またタイムスケール２１Ａの下方左側には、複数のチャンネル番号を示すチャンネル表示部２１Ｂが表示されると共に、その右側には、各チャンネルで放送される番組をそれぞれ表す複数の番組表示枠２１Ｃが、その放送チャンネル及び放送時間に対応する位置及び長さでそれぞれ表示されている。
【００３６】
またこの番組表示枠２１Ｃの枠内には、選択された番組の番組名が表示されている。なお、図２においては、説明の便宜上、チャンネル「２００」により放送される番組「ワールドスポーツニュース」、「南米紀行」、「ニュース２５」「ミッドナイトムービー」のみが表示されているが、実際には、他のチャンネルの番組も同様に表示されるようになされている。
【００３７】
さらに一覧情報表示部２１には、番組を選択するための選択カーソル２１Ｄが番組表示枠２１Ｃの１つに重ねて表示されており、リモートコントローラ１８のカーソル操作ボタン（図示せず）を上下左右に押下操作することにより、当該選択カーソル２１Ｄを移動させて、任意の番組に対応する番組表示枠２１Ｃを選択し得るようになされている。
【００３８】
一方、詳細情報表示部２２は、チャンネル詳細表示部２２Ａ及び番組詳細表示部２２Ｂから構成される。そして、この詳細情報表示部２２には、選択カーソル２１Ｄによって選択された番組の詳細情報がＥＰＧデータＥＤ１のＳＤＴ及びＥＩＴに基づいて表示される。
【００３９】
このときチャンネル詳細表示部２２Ａには、選択された番組の放送チャンネル、放送局名及び放送局のロゴ等が表示され、番組詳細表示部２２Ｂには、その番組の番組名、放送チャンネル、放送日、放送開始時刻、放送終了時刻及び出演者等が表示される。
【００４０】
このようにＣＰＵ２は、ＥＰＧデータＥＤ１に基づくＥＰＧ画面２０をモニタ１６に表示することにより、放送予定の番組に関する種々の情報をユーザに提供し得るようになされている。
【００４１】
ところで実際上、衛星波Ｓ１及び地上波Ｓ３に重畳されてくるＥＰＧデータＥＤ１においては、上述したように午前０時を日付の境目としている。すなわち午前０時以降（２４：００以降）を翌日として日付変更するように設定されており、このＥＰＧデータＥＤ１のＥＩＴには、この設定に基づいた放送日、放送開始時刻及び終了時刻が記述されている。
【００４２】
このためＥＰＧデータＥＤ１に記述された放送日、放送開始時刻及び終了時刻をそのままの時刻表記でＥＰＧ画面２０に表示する場合、当該ＥＰＧ画面２０に表示される放送日、放送開始時刻及び終了時刻の表記と、日付の境目が午前０時以外に設定されたテレビジョン放送の番組内や番組情報誌等における放送日、放送開始時刻及び終了時刻の表記とが一致しなくなる。
【００４３】
そこでこのテレビジョン受像機１においては、ユーザが日付の境目となる時刻（以下、これを日付変更時刻と呼ぶ）を自由に設定できる日付変更時刻設定機能を有している。
【００４４】
ここで、この日付変更時刻設定機能における、日付変更時刻設定処理手順を、図３に示すフローチャートを用いて、以下に説明する。
【００４５】
すなわちＣＰＵ２は、リモートコントローラ１８を介して電子番組ガイド情報の表示が要求されると、ＲＡＭ４からＥＰＧデータＥＤ１を読み出し、これをＡＶデコーダ１１を介してＥＰＧ画面２０としてモニタ１６に表示させると共に、ＲＯＭ３から読み出した日付変更時刻設定プログラムに従って日付変更時刻設定処理手順ＲＴ１を実行する。
【００４６】
ＣＰＵ２は、日付変更時刻設定処理手順ＲＴ１を実行すると、ステップＳＰ１において、リモートコントローラ１８に設けられた日付変更時刻設定ボタン（図示せず）が押下されたか否かを判定する。
【００４７】
ここで否定結果を得ると、このときＣＰＵ２は、日付変更時刻設定ボタンが押下されるまでステップＳＰ１で待ち受ける。
【００４８】
これに対してステップＳＰ１において肯定結果を得ると、このときＣＰＵ２は、日付変更時刻設定ボタンが押下されたことを認識し、次のステップＳＰ２に移る。
【００４９】
ステップＳＰ２においてＣＰＵ２は、図４（Ａ）に示す日付変更時刻設定画面３０をＡＶデコーダ１１を介してモニタ１６に表示し、次のステップＳＰ３に移る。
【００５０】
ここで日付変更時刻設定画面３０は、日付変更時刻表示ボックス３１及び設定ボタン群３２から構成されており、日付変更時刻表示ボックス３１には日付変更時刻の初期値としてＥＰＧデータＥＤ１の日付変更時刻である「０：００」が表示される。また設定ボタン群３２は、初期化ボタン３２Ａ、中止ボタン３２Ｂ及び決定ボタン３２Ｃから構成される。
【００５１】
ステップＳＰ３において、ＣＰＵ２は、リモートコントローラ１８に設けられた上下キー（図示せず）の操作に応じて、日付変更時刻表示ボックス３１に表示される日付変更時刻を変更し、次のステップＳＰ４に移る。この場合、例えばリモートコントローラ１８の上キーが２回押下されると、ＣＰＵ２はこれを認識し、図４（Ｂ）に示すように日付変更時刻表示ボックス３１に表示される日付変更時刻を「０：００」から「２：００」に変更するようになされている。
【００５２】
ステップＳＰ４において、ＣＰＵ２は、リモートコントローラ１８の所定の操作によって日付変更時刻設定画面３０上の初期化ボタン３２Ａが押下されたか否かを判定する。
【００５３】
ここで肯定結果を得ると、このときＣＰＵ２は、初期化ボタン３２Ａが押下されたことを認識し、次のステップＳＰ５に移る。ステップＳＰ５においてＣＰＵ２は、日付変更時刻表示ボックス３１における日付変更時刻の表示を初期値である「０：００」に戻してステップＳＰ３に戻り、再び日付変更時刻の変更を待ち受ける。
【００５４】
これに対してステップＳＰ４において否定結果を得ると、このときＣＰＵ２は、次のステップＳＰ６に移り、中止ボタン３２Ｂが押下されたか否かを判定する。
【００５５】
ここで肯定結果を得ると、このことは、ユーザがステップＳＰ３における日付変更時刻の変更を反映せずに、この日付変更時刻の設定を終了しようとしていることを表しており、このときＣＰＵ２は、ステップＳＰ７に移って日付変更時刻設定画面３０を閉じ、ステップＳＰ１１に移る。
【００５６】
これに対してステップＳＰ６で否定結果を得ると、このときＣＰＵ２は、次のステップＳＰ８に移り、決定ボタン３２Ｃが押下されたか否かを判定する。
【００５７】
ここで否定結果を得ると、このことは、ユーザが初期化ボタン３２Ａ、中止ボタン３２Ｂ及び決定ボタン３２Ｃのいずれも押下しておらず、まだ日付変更時刻を変更しようとしていることを表しており、このときＣＰＵ２は、再びステップＳＰ３に戻り、日付変更時刻の変更を待ち受ける。
【００５８】
これに対してステップＳＰ８で肯定結果を得ると、このことは、ユーザがこのとき日付変更時刻表示ボックス３１に表示されている日付変更時刻（例えば「２：００」）を、新たな日付変更時刻として決定したことを表しており、このときＣＰＵ２は、次のステップＳＰ９に移る。
【００５９】
ステップＳＰ９において、ＣＰＵ２は、ユーザによって新たに決定された日付変更時刻（例えば「２：００」）をユーザ設定として不揮発性メモリ５に格納すると共に、日付変更時刻設定画面３０を閉じて次のステップＳＰ１０に移る。
【００６０】
ステップＳＰ１０においてＣＰＵ２は、ＥＰＧ画面２０のタイムスケール２１Ａの時刻表記をユーザ設定に基づいて変更する。この場合ＣＰＵ２は、タイムスケール２１Ａに表示すべき時刻のうち、ユーザ設定の日付変更時刻未満の時刻に対して「２４：００」を加算する。
【００６１】
すなわちＣＰＵ２は、例えばユーザによって日付変更時刻が「２：００」に設定された場合、図５に示すように、このときタイムスケール２１Ａに表示すべき時刻が「２３：００」、「０：００」、「１：００」、「２：００」であるとすれば、これらのうち日付変更時刻が「２：００」未満の時刻となる「０：００」及び「１：００」に対してそれぞれ「２４：００」を加算することにより、これらをそれぞれ時刻「２４：００」及び「２５：００」に置き換える。この結果、日付変更時刻「２：００」未満の時刻が前日の時刻「２３：００」に続く時刻に変換される。
【００６２】
そしてＣＰＵ２は、タイムスケール２１Ａの時刻表記を「２３：００」、「２４：００」、「２５：００」、「２：００」と置き換えて再表示した後、次のステップＳＰ１１に移って日付変更時刻設定処理手順ＲＴ１を終了する。
【００６３】
このようにテレビジョン受像機１においては、ユーザが日付変更時刻を任意に設定することができると共に、当該設定に応じてＥＰＧ画面２０のタイムスケール２１Ａにおける時刻表記を変更することができる。
【００６４】
さらにＣＰＵ２は、日付変更時刻設定後において、リモートコントローラ１８を介してＥＰＧ画面２０上で所望の番組の番組表示枠２１Ｃが選択された場合に番組詳細表示部２２Ｂに表示する番組の放送日、放送開始時刻及び放送終了時刻の表記においても、それぞれユーザ設定の日付変更時刻に基づいて変更するようになされている。
【００６５】
すなわちＣＰＵ２は、リモートコントローラ１８を介して所望の番組の番組表示枠２１Ｃが選択されると、ＲＯＭ３から読み出した時刻表示変換プログラムに従って図６に示す時刻表示変換処理手順ＲＴ２を実行する。
【００６６】
ＣＰＵ２は、時刻表示変換処理手順ＲＴ２を実行すると、ステップＳＰ２０において、不揮発性メモリ５に格納されているユーザ設定を読み出し、次のステップＳＰ２１に移る。
【００６７】
ステップＳＰ２１においてＣＰＵ２は、ＥＰＧデータＥＤ１からこのとき選択された番組のＥＩＴを取得し、次のステップＳＰ２２に移る。ここでこのＥＩＴにはその番組の放送開始時刻が、日付変更時刻を「０：００」とするＭＪＤ（Modified Julian Day）表記の年月日及びＢＣＤ（Binary Coded Decimal）表記の時分秒で記述されていると共に、その放送終了時刻が、日付変更時刻を「０：００」とするＢＣＤ表記の時分秒で記述されている。従ってＣＰＵ２は、このＥＩＴを取得することにより、日付変更時刻が「０：００」である場合の、その番組の放送日、放送開始時刻及び終了時刻を得る。
【００６８】
ステップＳＰ２２においてＣＰＵ２は、ＥＩＴから得たその番組の放送開始時刻がユーザ設定の日付変更時刻未満であるか否かを判定する。ここで否定結果を得ると、このことは、ＥＩＴから得た放送開始時刻の表記を変更する必要がないことを表しており、このときＣＰＵ２は、ステップＳＰ２４に移ってＥＩＴから得た放送日及び放送開始時刻をそのままの時刻表記で番組詳細表示部２２Ｂに表示して、ステップＳＰ２５に移る。
【００６９】
これに対してステップＳＰ２２において肯定結果を得ると、このことは、ＥＩＴから得た放送開始時刻の表記を変更する必要があることを表しており、このときＣＰＵ２は、次のステップＳＰ２３に移る。
【００７０】
ステップＳＰ２３において、ＣＰＵ２は、ＥＩＴから得た放送日（例えば８月７日）を１日前の日付（例えば８月６日）に置き換えると共に、ＥＩＴから得た放送開始時刻（例えば０：００）をこの時刻に「２４：００」を加算した時刻（例えば２４：００）に置き換え、次のステップＳＰ２４に移る。
【００７１】
ステップＳＰ２４においてＣＰＵ２は、図７に示すように、置き換えた時刻表記で番組詳細表示部２２Ｂに放送日及び放送開始時刻を表示し、次のステップＳＰ２５に移って、時刻表示変換処理手順ＲＴ２を終了する。
【００７２】
なお、放送終了時刻の表記についても同様に、ユーザ設定の日付変更時刻未満であれば、「２４：００」を加算することにより、ユーザ設定の日付変更時刻に基づく時刻表記に置き換えることができる。
【００７３】
このようにテレビジョン受像機１においては、ユーザが設定した日付変更時刻に応じてＥＰＧ画面２０の番組詳細表示部２２における放送日、放送開始時刻及び終了時刻の表記を変更することができる。
【００７４】
（２）動作及び効果
以上の構成において、このテレビジョン受像機１では、衛星波Ｓ１や地上波Ｓ３から、所定の日付変更時刻（例えば「０：００」）に基づく時刻表記で放送開始時刻や放送終了時刻が記述されたＥＰＧデータＥＤ１を取得し、これをＲＡＭ４に格納する。
【００７５】
またテレビジョン受像機１は、リモートコントローラ１８の日付変更時刻設定ボタンが押下されたことを認識すると、日付変更時刻設定画面３０をモニタ１６に表示する。
【００７６】
テレビジョン受像機１は、この日付変更時刻設定画面３０上でユーザによって任意の日付変更時刻（例えば「２：００」）が設定されると、当該日付変更時刻をユーザ設定として不揮発性メモリ５に格納する。
【００７７】
そしてテレビジョン受像機１は、ＥＰＧデータＥＤ１に記述された放送開始時刻や放送終了時刻をユーザ設定の日付変更時刻と比較し、この放送開始時刻や放送終了時刻が、当該ユーザ設定の日付変更時刻以上であった場合には、当該放送開始時刻や放送終了時刻をそのままの時刻表記でＥＰＧ画面２０に表示する。
【００７８】
これに対してＥＰＧデータＥＤ１に記述された放送開始時刻や放送終了時刻がユーザ設定の日付変更時刻未満であった場合には、このときテレビジョン受像機１は、当該放送開始時刻や放送終了時刻に「２４：００」を加算した時刻表記でＥＰＧ画面２０に表示する。
【００７９】
この結果、このテレビジョン受像機１においては、ユーザの設定した日付変更時刻に基づく時刻表記で、ＥＰＧ画面２０を表示することができるので、ＥＰＧ画面２０の時刻表記を、ＥＰＧデータＥＤ１とは日付変更時刻の異なるテレビジョン放送の番組内や番組情報誌等の時刻表記に変換して表示することができる。
【００８０】
以上の構成によれば、このテレビジョン受像機１においては、所定の日付変更時刻に基づく時刻表記で放送開始時刻や放送終了時刻が記述されたＥＰＧデータＥＤ１を取得すると共に、ユーザによって指定された任意の日付変更時刻をユーザ設定として不揮発性メモリ５に格納し、当該ユーザ設定の日付変更時刻に基づいてＥＰＧデータＥＤ１の放送開始時刻や放送終了時刻の時刻表記を変換してＥＰＧ画面２０を表示するようにしたことにより、ＥＰＧ画面２０の時刻表記を、ＥＰＧデータＥＤ１とは日付変更時刻の異なるテレビジョン放送の番組内や番組情報誌等の時刻表記に変換することができ、かくして従来と比して一段と電子番組ガイド情報の利便性を向上することができる。
【００８１】
（３）他の実施の形態
なお上述の実施の形態においては、ＥＰＧデータＥＤ１を、衛星波Ｓ１及び放送波Ｓ３から取得するようにした場合について述べたが、本発明はこれに限らず、例えば、テレビジョン受像機１にインターネット接続機能を設けておき、インターネット上のＥＰＧデータを提供しているサイト等から、当該ＥＰＧデータを取得するようにしてもよい。
【００８２】
また上述の実施の形態においては、番組一覧表示部２１（図２）の横軸を時刻、縦軸をチャンネルとしてモニタ１６に表示するようにした場合について述べたが、本発明はこれに限らず、例えば図８に示すように、番組一覧表示部２１の横軸をチャンネル、縦軸を時刻とするように表示を切り替えるようにしてもよい。
【００８３】
さらに上述の実施の形態においては、ＣＰＵ２がリモートコントローラ１８の日付変更時刻設定ボタンの押下を認識すると、日付変更時刻設定画面３０をモニタ１６に表示するようにした場合について述べたが、本発明はこれに限らず、例えばＥＰＧ画面２０の所定位置に設定メニュー（図示せず）を常時表示させておき、当該メニューの中から日付変更時刻の設定が選択されると、このとき日付変更時刻設定画面３０をモニタ１６に表示するようにしてもよい。
【００８４】
さらに上述の実施の形態においては、ユーザによって任意の日付変更時刻（例えば「２：００」）が設定されると、ＥＰＧデータＥＤ１に記述された日付変更時刻「０：００」に基づく放送開始時刻や終了時刻の時刻表記を、任意の日付変更時刻（例えば「２：００」）に基づく時刻表記に変換して番組詳細表示部２２Ｂに表示するようにした場合について述べたが、本発明はこれに限らず、例えば図９及び図１０に示すように、任意の日付変更時刻（例えば「２：００」）に基づく時刻表記に変換した放送開始時刻や終了時刻を番組詳細表示部２２Ｂに表示すると共に、変換前の日付変更時刻「０：００」に基づく放送開始時刻や終了時刻も変換前時刻２２Ｃとして表示するようにしてもよい。これによりテレビジョン受像機１は、ユーザに時刻表記の変換前及び変換後の時刻を同一画面上で確認させることができるので、一段と電子番組ガイド情報の利便性を向上することができる。
【００８５】
さらに上述の実施の形態においては、日付変更時刻が設定されると、当該日付変更時刻が全チャンネルに反映される場合について述べたが、本発明はこれに限らず、チャンネル毎に日付変更時刻を設定するようにしてもよい。
【００８６】
この場合、例えばＣＰＵ２は、番組表示部２１Ｃ上で所望の番組名が選択された状態で、リモートコントローラ１８の日付変更時刻設定ボタンが押下されると、図１１に示すように、選択された番組のチャンネル番号が表示された選択チャンネル表示ボックス４０を追加した日付変更時刻設定画面３０を表示する。そしてＣＰＵ２は、ユーザによってこの日付変更時刻設定画面３０で任意の日付変更時刻が指定されると、選択チャンネル表示ボックス４０に表示されたチャンネル番号と日付変更時刻とを対応付けてユーザ設定とし、これを不揮発性メモリ５に格納する。
【００８７】
これ以降ＣＰＵ２は、ユーザ設定のチャンネルの番組が選択された場合に、このユーザ設定の日付変更時刻に基づいて、当該番組の放送日や放送開始時刻の時刻表記を変換してモニタ１６に表示する。これによりテレビジョン受像機１においては、チャンネル毎にそれぞれ異なる日付変更時刻を設定することができるので、一段と電子番組ガイド情報の利便性を向上することができる。
【００８８】
さらに本発明においては、曜日毎に日付変更時刻を設定するようにしてもよい。この場合、例えば図１２に示すように日付変更時刻設定画面３０に曜日選択ボタン５０を設けておき、ＣＰＵ２は、当該選択ボタン５０で指定された曜日と日付変更時刻とを対応付けてユーザ設定とし、これを不揮発性メモリ５に格納する。
【００８９】
これ以降ＣＰＵ２は、ユーザ設定の曜日になると、このユーザ設定の日付変更時刻に基づいて、番組の放送日や放送開始時刻の時刻表記を変換してモニタ１６に表示する。これにより、例えば金曜日や土曜日といった深夜の放送を視聴する機会の多い曜日に任意の日付変更時刻を設定しておくことで、一段と電子番組ガイド情報の利便性を向上することができる。
【００９０】
さらに本発明においては、ユーザ任意の特定日に対して個別に日付変更時刻を設定するようにしてもよい。この場合、例えば図１３に示すように日付変更時刻設定画面３０に特定日表示ボックス６０を設けておき、ＣＰＵ２は、当該特定日表示ボックス６０で指定された特定日と日付変更時刻とを対応付けてユーザ設定とし、これを不揮発性メモリ５に格納する。
【００９１】
これ以降ＣＰＵ２は、ユーザ設定の特定日になると、このユーザ設定の日付変更時刻に基づいて、番組の放送日や放送開始時刻の時刻表記を変換してモニタ１６に表示する。これにより、例えば大晦日等、深夜の放送を視聴する機会の多い日に任意の日付変更時刻を設定しておくことで、一段と電子番組ガイド情報の利便性を向上することができる。
【００９２】
さらに本発明においては、これらチャンネル設定、曜日設定、特定日設定を任意に組み合わせてもよい。これにより、テレビジョン受像機１においては、ユーザの様々な要求に応じた日付変更時刻の設定ができ、一段と電子番組ガイド情報の利便性を向上することができる。
【００９３】
さらに上述の実施の形態においては、日本標準時に基づくＭＪＤ及びＢＣＤ表記で記述された放送日、放送開始時刻及び終了時刻を用いて、これらの時刻表記を変換する場合について述べたが、本発明はこれに限らず、例えばサマータイム表記の放送日及び放送開始時刻を用いる場合であっても、当該サマータイム表記の放送日及び放送開始時刻に所定時間を加算して計算するだけで、容易に時刻表記を変換できる。
【００９４】
さらに上述の実施の形態においては、テレビジョン受像機１に本発明を適用した場合について述べたが、本発明はこれに限らず、電子番組ガイド情報を取得し、これを表示し得る装置であれば、ＰＤＡ（Personal Digital Assistants）やパーソナルコンピュータ等、種々の番組情報表示装置に広く適用することができる。
【００９５】
さらに上述の実施の形態においては、ＥＰＧ画面２０上で所望の番組の番組表示枠２１Ｃが選択されると、当該番組に関する詳細情報が番組詳細表示部２２Ｂに表示されるようにした場合について述べたが、本発明はこれに限らず、例えば、所望の番組が選択されると、その番組を視聴予約番組又は録画予約番組と認識し、その番組の開始時刻に自動的にその番組にチャンネルが切り替わるようにしたり、外部に接続された録画装置に自動的に録画するようにしてもよい。
【００９６】
さらに上述の実施の形態においては、取得手段としての衛星チューナ７、地上波チューナ８、デスクランブラ９及びデマルチプレクサ１０と、記憶手段としての不揮発性メモリ５と、変換手段としてのＣＰＵ２と、表示手段としてのＡＶデコーダ１１及びモニタ１６によってテレビジョン受像機１を構成するようにした場合について述べたが、本発明はこれに限らず、この他の種々の取得手段、変換手段及び表示手段によりテレビジョン受像機を構成するようにしてもよい。
【産業上の利用可能性】
【００９７】
本発明は、電子番組ガイド情報の表示機能を有するテレビジョン受像機に適用できる。
【図面の簡単な説明】
【００９８】
【図１】本発明によるテレビジョン受像機の構成を示す略線図である。
【図２】ＥＰＧ画面の構成（１）を示す略線図である。
【図３】日付変更時刻設定処理手順を示すフローチャートである。
【図４】日付変更時刻設定画面の構成を示す略線図である。
【図５】タイムスケールにおける時刻表記の変更を示す略線図である。
【図６】時刻表示変換処理手順を示すフローチャートである。
【図７】ＥＰＧ画面の構成（２）を示す略線図である。
【図８】ＥＰＧ画面の構成（３）を示す略線図である。
【図９】ＥＰＧ画面の構成（４）を示す略線図である。
【図１０】ＥＰＧ画面の構成（５）を示す略線図である。
【図１１】日付変更時刻設定画面の構成（チャンネル別）を示す略線図である。
【図１２】日付変更時刻設定画面の構成（曜日別）を示す略線図である。
【図１３】日付変更時刻設定画面の構成（日別）を示す略線図である。
【符号の説明】
【００９９】
１……テレビジョン受像機、２……ＣＰＵ、３……ＲＯＭ、４……ＲＡＭ、５……不揮発性メモリ、６……ＩＣカードリーダ、７……衛星チューナ、８……地上波チューナ、９……デスクランブラ、１０……デマルチプレクサ、１１……ＡＶデコーダ、１２……赤外線受信部、１３……バス、１４……衛星アンテナ、１５……地上波アンテナ、１６……モニタ、１７……スピーカ、１８……リモートコントローラ、２０……ＥＰＧ画面、３０……日付変更時刻設定画面、ＥＤ１……ＥＰＧデータ。
【図１】
2005101875.tif 000003
【図２】
2005101875.tif 000004
【図３】
2005101875.tif 000005
【図４】
2005101875.tif 000006
【図５】
2005101875.tif 000007
【図６】
2005101875.tif 000008
【図７】
2005101875.tif 000009
【図８】
2005101875.tif 000010
【図９】
2005101875.tif 000011
【図１０】
2005101875.tif 000012
【図１１】
2005101875.tif 000013
【図１２】
2005101875.tif 000014
【図１３】
2005101875.tif 000015